(57)【要約】      （修正有）【課題】多人数共用型のスケジューリング設定機能が改善された分析装置を提供する。【解決手段】ネットワーク接続される分析装置１０であって、ネットワークより端末が接続された際、端末のＷＥＢブラウザーにより処理可能な情報を提供するＷＥＢサーバー手段１２と、当該分析装置の予約情報を記憶する予約状況記憶手段１４と、予約状況記憶手段に記憶された予約情報に基づき、分析手段に対し分析操作を行わせる分析制御手段１６と、分析手段による予約分析結果を記憶する分析データ記憶手段２０と、を備え、ＷＥＢサーバー手段１２は、予約状況記憶手段１４に記憶された予約状況をネットワーク接続された端末に表示させる予約表示部２４と、端末の操作により分析予約を行う予約設定部２６と、を有する。【選択図】図１
2015200567.tif 000002
【特許請求の範囲】
【請求項１】
ネットワーク接続される分析装置であって、
前記ネットワークより端末が接続された際、端末のＷＥＢブラウザーにより処理可能な情報を提供するＷＥＢサーバー手段と、
当該分析装置の予約情報を記憶する予約状況記憶手段と、
前記予約状況記憶手段に記憶された予約情報に基づき、分析手段に対し分析操作を行わせる分析制御手段と、
前記分析手段による予約分析結果を記憶する分析データ記憶手段と、を備え、
前記ＷＥＢサーバー手段は、前記予約状況記憶手段に記憶された予約状況をネットワーク接続された端末に表示させる予約表示部と、端末の操作により分析予約を行う予約設定部と、を有することを特徴とする分析装置。
【請求項２】
請求項１記載の分析装置において、予約設定部は、予約時間帯以外の分析条件の設定を行うことが可能であることを特徴とする分析装置。
【請求項３】
請求項１又は２記載の分析装置において、ＷＥＢサーバー手段は、さらに分析中ないし分析終了後に分析データおよび／または分析条件の表示を可能とする分析状況表示部を有することを特徴とする分析装置。
【請求項４】
請求項１記載の分析装置において、ＷＥＢサーバー手段は、さらに端末による分析装置へのアクセスを管理する認証部を備え、少なくともアクセス者のＩＤ及び／または端末情報、およびパスワード、あるいはアクセス許可を与える端末群により特定グループを形成するグループ管理により、当該分析装置へのアクセス管理を行うことを特徴とする分析装置。
【請求項５】
請求項４記載の分析装置において、前記認証部は、分析データおよび／または分析条件へのアクセスを分析者以外の特定のアクセス者に許可することを特徴とする分析装置。
【請求項６】
請求項１〜５記載の分析装置において、ネットワーク経由で画像配信可能なカメラを備え、該カメラは分析装置の可動部分の監視を行うことを特徴とする分析装置。
【請求項７】
請求項１〜６記載の分析装置において、さらにデータ転送手段を備え、該データ転送手段は分析データ記憶手段に記憶された分析データをデータ解析コンピュータに転送可能であることを特徴とする分析装置。
【発明の詳細な説明】
【技術分野】
【０００１】
本発明は分析装置、特に複数の使用者による操作を前提とする分析装置の改良に関する。
【背景技術】
【０００２】
近年、あらゆる研究分野で分析装置が用いられているが、分析装置の多様化、高機能化に伴う設置スペース、管理等の問題から、ごく少人数の専用分析装置として用いられることは少なり、多人数の共用下に置かれることが多い。
しかしながら、従来の分析装置は、当該分析装置の操作を分析装置自体ないし分析装置に隣接して設置されたパーソナルコンピュータなどにより行っていた。この際、分析装置自体の操作部で操作する場合は無論、隣接設置されたパーソナルコンピュータを用いる場合にも、それぞれ専用の操作用ソフトウェアをインストールすることが要求され、しかも分析を行う際には分析者は分析装置の傍にいて操作を行わなければならず、多人数の共用下に置かれている場合には分析の順番待ち、あるいは操作待ち等、時間の効率的な利用が妨げられてしまう。
これに対し、特許文献１には、分析者各個人が有するタブレット端末等を用いて分析装置の操作を可能とした技術も開示されている。
【先行技術文献】
【特許文献】
【０００３】
【特許文献１】特開２０１４−４４０４６
【発明の概要】
【発明が解決しようとする課題】
【０００４】
しかしながら、特許文献１に示される分析装置にあっても、多人数の共用下に置かれた分析装置の有効利用にはまだ改善の余地があった。
本発明は前記従来技術に鑑みなされたものであり、その解決すべき課題は分析装置のスケジューリング設定機能の改善を図ることにある。
【課題を解決するための手段】
【０００５】
前記課題を解決するために本発明にかかる分析装置は、
ネットワーク接続されており、
前記ネットワークより端末が接続された際、端末のＷＥＢブラウザーにより処理可能な情報を提供するＷＥＢサーバー手段と、
当該分析装置の予約情報を記憶する予約状況記憶手段と、
前記予約状況記憶手段に記憶された予約情報に基づき、分析手段に対し分析操作を行わせる分析制御手段と、
前記分析手段による予約分析結果を記憶する分析データ記憶手段と、を備え、
前記ＷＥＢサーバー手段は、前記予約状況記憶手段に記憶された予約状況をネットワーク接続された端末に表示させる予約表示部と、端末の操作により分析予約を行う予約設定部と、を有することを特徴とする。
また、前記分析装置において、予約設定部は、時間帯以外の分析条件の設定を行うことが可能であることが好適である。
また、前記分析装置において、ＷＥＢサーバー手段は、さらに分析中ないし分析終了後に分析データおよび／または分析条件の表示を可能とする分析状況表示部を有することが好適である。
また、前記分析装置において、ＷＥＢサーバー手段は、さらに端末による分析装置へのアクセスを管理する認証部を備え、少なくともアクセス者のＩＤ及び／または端末情報、およびパスワード、あるいはアクセス許可を与える端末群により特定グループを形成するグループ管理により当該分析装置へのアクセス管理を行うことが好適である。
また、前記分析装置において、前記認証部は、分析データおよび／または分析条件へのアクセスを分析者以外の特定のアクセス者に許可することが好適である。
また、前記分析装置において、ネットワーク経由で画像配信可能なカメラを備え、該カメラは分析装置の可動部分の監視を行うことが好適である。
また、前記分析装置において、さらにデータ転送手段を備え、該データ転送手段は分析データ記憶手段に記憶された分析データをデータ解析コンピュータに転送可能であることが好適である。
【発明の効果】
【０００６】
以上説明したように本発明にかかる分析装置は、予約表示部及び予約設定部を備え、それぞれ予約表示ないし予約設定をネットワーク接続された端末のWebブラウザーにより可能としたので、多人数共用下の分析装置の稼働管理を容易に行うことができる。
また、予約設定時に分析条件の設定を行うことで、分析サンプルの供給をしておけば、予約時間に分析操作が自動的に開始され、予約分析にもかかわらず個々のサンプルに応じた分析条件での分析を行うことができる。
また、分析中ないし分析終了後に分析データおよび／または分析条件の表示を可能とすることで、予約しておいた分析が適切に実行されているかを端末より確認することができる。
また、分析装置の可動部（たとえばオートサンプラー、マッピング測定時のステージ、液体クロマトグラフィーのポンプの作動・液漏れ監視、シッパなど）を画像配信することで、障害を生じやすい可動部の遠隔監視を容易に行うことができる。
【図面の簡単な説明】
【０００７】
【図１】本発明の一実施形態にかかる分析装置の概略構成の説明図である。
【図２】図１に示した分析装置による端末への予約表示画面の説明図である。
【図３】図１に示した分析装置による端末への予約設定画面の説明図である。
【図４】図１に示した分析装置による端末への分析データ表示画面の説明図である。
【発明を実施するための形態】
【０００８】
以下、本発明の好適な実施形態について図面に基づき説明する。
図１は本発明の一実施形態にかかる分析装置の概念図が示されている。
同図において、分析装置１０は、ネットワーク接続される端末と情報の授受を行うＷＥＢサーバー手段１２と、前記ＷＥＢサーバー手段１２により設定された予約情報を記憶する予約状況記憶手段１４と、前記予約状況記憶手段１４に記憶された予約時刻に所定分析条件に基づき分析制御を行う分析制御手段１６と、前記分析制御手段１６の指示に基づき分析を実行する分析手段１８と、分析中ないし分析終了後の分析データを記憶する分析データ記憶手段２０を備える。
前記ＷＥＢサーバー手段１２は、認証部２２、予約表示部２４、予約設定部２６および分析状況表示部２８を備える。
そして、認証部２２は、ネットワーク３０上のパーソナルコンピュータ３２ないしタブレット端末３４などから、アクセス要求を受けた際に、該コンピュータ３２ないしタブレット端末３４が分析装置１０にアクセスする権限を有するか否かを、ＩＤ、パスワード、ＩＰアドレスなどのネットワークアドレス、MACアドレスなどの機器識別番号、あるいはアクセス許可が与えられた特定グループに所属する端末か否か等により確認し、承認された端末のみにアクセス許可を与える。
【０００９】
また、予約表示部２４は、前記予約状況記憶手段１４に記憶された予約状況を、前記端末３２，３４のＷＥＢブラウザーに表示させる。通常、この予約状況は、ＷＥＢブラウザーで読み取り可能な形式で保持されている。
前記予約設定部２６は、前記端末３２，３４に対し、前記予約状況の空き時間に予約設定を許可する。この予約設定に当たっては、単に時間帯予約だけを行うことも可能であるが、通常、分析条件（検出器、カラムの選択、温度設定、展開溶媒選択、グラジェント設定等）も同時に設定される。この予約設定状態は、前記予約状況記憶手段１４に記憶される。
前記分析状況表示部２８は、前記予約状況記憶手段に記憶された時間帯に分析中のデータ、あるいは分析が終了したデータを端末３２ないし３４に表示可能とする。
本実施形態にかかる分析装置は概略以上のように構成され、次にその作動に関し説明する。
【００１０】
まず、分析希望者は、自らの管理下にあるパーソナルコンピュータ３２ないしタブレット端末３４のＷＥＢブラウザーを開き、ネットワーク経由で分析装置１０にアクセスする。ここで、ネットワークはインターネットのような公開ネットワークでも、あるいはＬＡＮのような構内ネットワークでも良い。
そして、ＷＥＢブラウザーに分析装置１０のＩＰアドレス、あるいはホームページアドレスを入力しアクセスを求めると、ＷＥＢサーバー手段１２の認証部２２は、例えばＩＤとパスワードの入力を求め、ＩＤに基づき管理者、分析操作可能なユーザー、閲覧のみ可能なユーザーなどの識別を行う。
管理者権限が確認された場合には、他者の分析予約を含め、削除・編集、実行中の分析の停止、分析結果の確認・編集・削除等、すべての操作を許容する。
また、分析操作可能なユーザーと確認された場合には、分析予約状況確認、分析予約設定、および自己の設定した分析予約の再編集、削除、自己の予約分析の停止、分析結果の確認・編集、削除を許容する。
また、閲覧のみ可能なユーザーと確認された場合には、分析予約状況の表示、および公開されている分析結果の表示を許容する。
なお、前記グループ識別によりアクセス許可を与える際には、ＷＥＢサーバー手段を有する分析装置が複数存在する場合、例えばＦＴ−ＩＲ装置とクロマトグラフ装置がそれぞれＷＥＢサーバー手段を有する場合、それぞれの装置が異なる端末（ないしユーザー）グループに対し異なる権限割り当てでアクセス許可を与えることも可能である。また、両装置が同一のグループの端末にアクセスを許可している場合に、分析装置ごとに管理者権限、分析可能なユーザー権限、閲覧ユーザー権限を異なる端末（ないしユーザー）に設定することも可能である。
【００１１】
ここでは、分析操作可能なユーザーと確認された場合について説明する。
分析希望者は、ＷＥＢブラウザー上で予約表示部２４にアクセスし、予約状況の確認を行う。この予約状況は、予約状況記憶手段１４の記憶内容に基づき、例えば図２に示すように表示され、予約ユーザー、予約時間帯、動作状況、結果、状態を確認することができる。
この確認結果に基づき、空時間帯を指定し、分析予約を行うことができる。この際、分析希望者は予約設定部２６にアクセスし、図３に示すような予約設定画面を起動する。
同図に示すように、ユーザーＩＤなどのアカウント、予約時間、分析条件の設定などを行う。そして、この設定結果は予約状況記憶手段１４に記憶され、予約表示部２４の表示内容にも反映される。
予約時間になると、予約状況記憶手段１４に設定された予約情報に基づき、分析制御手段１６及び分析手段１８により分析操作が開始され、その分析条件、分析結果は順次分析データ記憶手段２０に記憶される。
この記憶手段２０に記憶された分析結果、分析条件は、基本的に分析希望者のユーザーＩＤ、パスワードの認証により、その者のみがアクセス可能であるが、分析結果の公開設定を行うことにより、所定の範囲の者へ公開が可能である。
前述したように、分析結果は、分析中にも確認可能であり、分析が適切に行われているか、分析条件の設定が妥当であるかなどの確認を確認しつつ、分析の進行を行うことができる。なお、分析中である場合には、順次データ更新を自動的に行うことで、分析進行状況の確認が行える。
【００１２】
図４は端末３２への分析途中のデータ表示例であり、表示画面３６上にサンプル番号、検出器、チャートなどが表示される。
なお、本実施形態にかかる分析装置１０は、さらに分析手段１８のサンプリング部３８にカメラ４０を備えており、サンプリング動作について端末３２より確認することができる。サンプリング部３８を構成するオートサンプラーなどは、機械的な動作が行われるため、障害が発生する場合もある。その動作確認は、場合によって極めて重要である。同様に、固体サンプルのマッピング測定などでは、ステージ等の動作確認も必要になる場合がある。
また、本実施形態にかかる分析装置１０は、さらにアラーム手段４２を備える。
すなわち、アラーム手段４２は、予約状況記憶手段１４を参照し、例えば分析開始３０分前に分析希望者に分析開始予定のアラームメールを送り、サンプル設定、確認を促し、また分析終了時にはその旨、および分析結果の確認を促すアラームメールを送ることができる。
また、本実施形態にかかる分析装置１０は、さらにデータ転送手段４４を有し、分析結果について、ネットワーク接続された他のデータ解析コンピュータ４６にデータ転送を行うことができる。
すなわち、分析装置１０に蓄積されるデータ解析用の標準データ、解析ソフトなどは自ずと制約があり、さらに端末３２，３４の解析能力にも制約がある。このため、データ解析専用のコンピュータ４６により定性、定量、その他の解析を行わせることが効率的である。
【００１３】
そこで本実施例においては、データ転送手段４４により、分析装置１０とは別個に設けられたデータ解析コンピュータへ、分析終了データの転送を自動的に行い、データ解析にかけることができる。
なお、データ解析コンピュータ４６による解析結果は、端末３２，３４より直接にコンピュータ４６より読み取ってもよいし、分析装置１０に返送し、分析データ記憶手段２０に格納してもよい。
また、本発明において、多人数共用下の分析装置であることから、アクセスログ、操作ログを的確に保存することも重要である。
すなわち、いつ、どのユーザーが当該分析装置にアクセスしたか、そのユーザーがどのような操作を行ったかを、後に確認可能な状態でログを取得する。例えば、特定ユーザーが分析予約を行い、他の管理者権限を有する者がその編集、削除を行った場合には、予約設定の事実は無論、編集、削除の事実、必要に応じて編集ないし削除の前後の内容をログとして記録することで、多人数共用の分析装置の安全性を高めることができる。
以上のように本発明によれば、多人数共用の分析装置の効率的な運用を行うことが可能となる。
【符号の説明】
【００１４】
１０    分析装置
１２    ＷＥＢサーバー手段
１４    予約状況記憶手段
１６    分析制御手段
１８    分析手段
２０    分析データ記憶手段
【図１】
2015200567.tif 000003
【図２】
2015200567.tif 000004
【図３】
2015200567.tif 000005
【図４】
2015200567.tif 000006
【手続補正書】
【提出日】平成26年10月6日(2014.10.6)
【手続補正１】
【補正対象書類名】特許請求の範囲
【補正対象項目名】請求項１
【補正方法】変更
【補正の内容】
【請求項１】
ネットワーク接続される分析装置であって、
前記ネットワークより端末が接続された際、端末のＷＥＢブラウザーにより処理可能な情報を提供するＷＥＢサーバー手段と、
当該分析装置の予約情報を記憶する予約状況記憶手段と、
前記予約状況記憶手段に記憶された予約情報に基づき、分析手段に対し分析操作を行わせる分析制御手段と、
前記分析手段による予約分析結果を記憶する分析データ記憶手段と、を備え、
前記ＷＥＢサーバー手段は、前記予約状況記憶手段に記憶された予約状況をネットワーク接続された端末に表示させる予約表示部と、端末の操作により分析予約を行う予約設定部と、分析中ないし分析終了後に分析データおよび／または分析条件の表示を可能とする分析状況表示部と、端末による分析装置へのアクセスを管理する認証部と、を有し、
認証部により、管理者権限が確認された場合には、他者の分析予約を含め、削除・編集、実行中の分析の停止、分析結果の確認・編集・削除等、すべての操作を許容し、分析操作可能なユーザーと確認された場合には、分析予約状況確認、分析予約設定、および自己の設定した分析予約の再編集、削除、自己の予約分析の停止、分析結果の確認・編集、削除を許容することを特徴とする分析装置。
【手続補正２】
【補正対象書類名】特許請求の範囲
【補正対象項目名】請求項４
【補正方法】変更
【補正の内容】
【請求項４】
請求項１記載の分析装置において、認証部は、少なくともアクセス者のＩＤ及び／または端末情報、およびパスワード、あるいはアクセス許可を与える端末群により特定グループを形成するグループ管理により、当該分析装置へのアクセス管理を行うことを特徴とする分析装置。
【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
ネットワーク接続される分析装置であって、
前記ネットワークより端末が接続された際、端末のＷＥＢブラウザーにより処理可能な情報を提供するＷＥＢサーバー手段と、
当該分析装置の予約情報である分析時間帯、予約分析に必要なサンプルに応じた分析条件を記憶する予約状況記憶手段と、
前記予約状況記憶手段に記憶された予約情報に基づき、分析手段に対し予約時間になったら自動的に分析操作を行わせる分析制御手段と、
前記分析手段による予約分析結果を記憶する分析データ記憶手段と、を備え、
前記ＷＥＢサーバー手段は、前記予約状況記憶手段に記憶された予約状況をネットワーク接続された端末に表示させる予約表示部と、端末の操作により予約情報の設定を行う予約設定部と、分析中ないし分析終了後に分析データおよび／または分析条件の表示を可能とする分析状況表示部と、端末による分析装置へのアクセスを管理する認証部と、を有し、
認証部により、管理者権限が確認された場合には、他者の分析予約を含め、削除・編集、実行中の分析の停止、分析結果の確認・編集・削除等、すべての操作を許容し、分析操作可能なユーザーと確認された場合には、分析予約状況確認、分析予約設定、および自己の設定した分析予約の再編集、削除、自己の予約分析の停止、分析結果の確認・編集、削除を許容することを特徴とする分析装置。
【請求項２】
請求項１記載の分析装置において、予約設定部は、予約時間帯以外の分析条件の設定を行うことが可能であることを特徴とする分析装置。
【請求項３】
請求項１記載の分析装置において、認証部は、少なくともアクセス者のＩＤ及び／または端末情報、およびパスワード、あるいはアクセス許可を与える端末群により特定グループを形成するグループ管理により、当該分析装置へのアクセス管理を行うことを特徴とする分析装置。
【請求項４】
請求項３記載の分析装置において、前記認証部は、分析データおよび／または分析条件へのアクセスを分析者以外の特定のアクセス者に許可することを特徴とする分析装置。
【請求項５】
請求項１〜４記載の分析装置において、ネットワーク経由で画像配信可能なカメラを備え、該カメラは分析装置の可動部分の監視を行うことを特徴とする分析装置。
【請求項６】
請求項１〜５記載の分析装置において、さらにデータ転送手段を備え、該データ転送手段は分析データ記憶手段に記憶された分析データをデータ解析コンピュータに転送可能であることを特徴とする分析装置。